(57)【特許請求の範囲】
【請求項１】
浴槽を備えた浴室に給湯を行う給湯路及び該給湯路の流水を検出する流水センサを有する給湯装置と、該浴槽の湯を昇温させる追焚を行う追焚装置と、該給湯装置の作動及び該追焚装置の作動を制御する制御手段とを備え、該制御手段は前記追焚装置により間欠的に追焚する保温制御を行う追焚付給湯装置において、前記制御手段は保温制御中に前記追焚手段による追焚が停止している状態で前記流水センサにより前記給湯路の流水が検出されたときに前記追焚装置により追焚を行うことを特徴とする追焚付給湯装置。
【請求項２】
浴槽を備えた浴室に給湯を行う給湯路を有する給湯装置と、該浴槽の湯を昇温させる追焚を行う追焚装置と、該給湯装置の作動及び該追焚装置の作動を制御する制御手段と、前記浴室内に設けられ該制御手段の操作を行う操作手段とを備え、該制御手段は前記追焚装置により間欠的に追焚する保温制御を行う追焚付給湯装置において、前記制御手段は保温制御中に前記追焚手段による追焚が停止している状態で前記操作手段が操作されたときに前記追焚装置により追焚を行うことを特徴とする追焚付給湯装置。
【請求項３】
浴槽を備えた浴室に給湯を行う給湯路及び該給湯路の流水を検出する流水センサを有する給湯装置と、該浴槽の湯を昇温させる追焚を行う追焚装置と、該給湯装置の作動及び該追焚装置の作動を制御する制御手段と、前記浴室内に設けられ該制御手段の操作を行う操作手段とを備え、該制御手段は前記追焚装置により間欠的に追焚する保温制御を行う追焚付給湯装置において、前記制御手段は保温制御中に前記追焚手段による追焚が停止している状態で、前記流水センサにより前記給湯路の流水が検出されたとき又は前記操作手段が操作されたときに前記追焚装置により追焚を行うことを特徴とする追焚付給湯装置。
【請求項４】
前記浴槽の湯の温度を検出する風呂温度センサを設け、該風呂温度センサの検出温度が所定風呂温度以下であるときに前記追焚装置による追焚が行われることを特徴とする請求項１乃至請求項３いずれか１つに記載の追焚付給湯装置。
【発明の詳細な説明】
【０００１】
【発明の属する技術分野】
本発明は浴槽を備えた浴室に給湯を行う給湯装置と、該浴槽の湯を昇温させる追焚を行う追焚装置と、該給湯装置の作動及び該追焚装置の作動を制御する制御手段とを備えた追焚付給湯装置に関する。
【０００２】
【従来の技術】
従来、かかる追焚付給湯装置として浴槽の湯の温度を検出する風呂温度センサが設けられ、制御手段は追焚装置により保温制御を行うものが知られている。保温制御は、風呂温度センサの検出温度（以下、「風呂温度」）が所定風呂温度以下であるとき制御手段が追焚装置による追焚を間欠的に行うことにより行われる。この所定風呂温度は使用者により入浴に適した温度に設定されている。しかし、保温制御中に追焚装置による追焚が停止している間に、浴槽の湯が冷めて所定風呂温度より低温となる場合がある。この場合には浴槽の湯のぬるさに気づいた上で制御手段を作動させなければ追焚が行われず、かかる手間は使用者にとってわずらわしい。
【０００３】
そこで、浴槽の水位変化を検出する水位センサを設け、保温制御中に浴槽の水位変位をこの水位センサが検出したときに風呂温度が所定風呂温度より低温ならば追焚が自動的に行われるようにした追焚付給湯装置が知られている。かかる追焚付給湯装置によれば、風呂温度が所定風呂温度より低温のとき、使用者の入浴とほぼ同時に追焚装置による追焚が自動的に行われ、使用者は制御手段を作動させる手間が省ける。しかし、水位センサ及びその制御装置は高価であるため、水位センサを設けると追焚付給湯装置の製造コストが高価となる場合がある。
【０００４】
【発明が解決しようとする課題】
本発明はかかる不都合を解消して、保温制御中に追焚装置による追焚が停止しているときに安価な手段により使用者の入浴を察知し、自動的に追焚を行うことができる追焚付給湯装置を提供することを目的とする。
【０００５】
【課題を解決するための手段】
前記課題を解決するための本発明の第１態様の追焚付給湯装置は、浴槽を備えた浴室に給湯を行う給湯路及び該給湯路の流水を検出する流水センサを有する給湯装置と、該浴槽の湯を昇温させる追焚を行う追焚装置と、該給湯装置の作動及び該追焚装置の作動を制御する制御手段とを備え、該制御手段は前記追焚装置により間欠的に追焚する保温制御を行う追焚付給湯装置において、前記制御手段は保温制御中に前記追焚手段による追焚が停止している状態で前記流水センサにより前記給湯路の流水が検出されたときに前記追焚装置により追焚を行うことを特徴とする。
【０００６】
前記課題を解決するための本発明の第２態様の追焚付給湯装置は、浴槽を備えた浴室に給湯を行う給湯路を有する給湯装置と、該浴槽の湯を昇温させる追焚を行う追焚装置と、該給湯装置の作動及び該追焚装置の作動を制御する制御手段と、前記浴室内に設けられ該制御手段の操作を行う操作手段とを備え、該制御手段は前記追焚装置により間欠的に追焚する保温制御を行う追焚付給湯装置において、前記制御手段は保温制御中に前記追焚手段による追焚が停止している状態で前記操作手段が操作されたときに前記追焚装置により追焚を行うことを特徴とする。
【０００７】
前記課題を解決するための本発明の第３態様の追焚付給湯装置は、浴槽を備えた浴室に給湯を行う給湯路及び該給湯路の流水を検出する流水センサを有する給湯装置と、該浴槽の湯を昇温させる追焚を行う追焚装置と、該給湯装置の作動及び該追焚装置の作動を制御する制御手段と、前記浴室内に設けられ該制御手段の操作を行う操作手段とを備え、該制御手段は前記追焚装置により間欠的に追焚する保温制御を行う追焚付給湯装置において、前記制御手段は保温制御中に前記追焚手段による追焚が停止している状態で、前記流水センサにより前記給湯路の流水が検出されたとき又は前記操作手段が操作されたときに前記追焚装置により追焚を行うことを特徴とする。
【０００８】
第１態様の追焚付給湯装置によれば保温制御中に追焚装置による追焚が停止している状態で、浴室内の使用者が入浴前に給湯路からの湯を使用したとき自動的に追焚が行われる。第２態様の追焚付給湯装置によれば保温制御中に追焚装置による追焚が停止している状態で、浴室内の使用者が入浴前に給湯温度又は風呂温度を設定すべく操作手段を操作したときに自動的に追焚が行われる。第３態様の追焚付給湯装置によれば保温制御中に追焚装置による追焚が停止している状態で、浴室内の使用者が入浴前に給湯路からの湯を使用したとき又は浴室内の使用者が入浴前に給湯温度又は風呂温度を設定すべく操作手段を操作したときに自動的に追焚が行われる。追焚の条件が２つに拡張されたことにより自動的に追焚が行われやすくなる。以上のように前記３つの態様の追焚付給湯装置によれば、浴室内の使用者により入浴前に前記の行為が行われたときに自動的に追焚が行われるので、浴槽の湯のぬるさに気付いてから追焚のために操作手段を操作するといった手間が省ける。
【０００９】
第１態様及び第３態様の流水センサ、第２態様及び第３態様の操作手段としては従来の追焚付給湯装置に備えられているものをそのまま使用すれば良い。また、流水センサによる流水の検出、操作手段の操作があったときの追焚装置による追焚は前記３つの態様における制御手段にプログラムを追加することにより行うことができる。従って、水位センサ及びその制御装置を新たに設けることなく、製造コストを節約しながらも使用者の入浴を察知して自動的に追焚を開始することができる追焚付給湯装置を実現することができる。
【００１０】
前記３つの態様の追焚給湯装置において前記浴槽の温度を検出する風呂温度センサを設け、該風呂温度センサの検出温度が所定風呂温度以下であるときに前記追焚装置による追焚が行われるようにするとよい。かかる追焚付給湯装置によれば、風呂温度が所定風呂温度より高温で追焚の必要がないときには追焚が行われないので、追焚を行う回数を低減させることができる。
【００１１】
【発明の実施の形態】
本発明の追焚付給湯装置の実施形態について図面を用いて説明する。図１は本発明の追焚付給湯装置の説明的構成図であり、図２は本発明の追焚付給湯装置による保温制御を示すフローチャートである。
【００１２】
図１に示した追焚付給湯装置は、浴槽１を備えた図示しない浴室内に給湯を行う給湯装置２と、浴槽１の湯を昇温させる追焚を行う追焚装置３と、給湯装置２及び追焚装置３の作動制御を行うコントローラ（制御手段）４とが設けられている。
【００１３】
給湯装置２には水が供給される給水路５と、給湯バーナ６により加熱されて給水路５から供給された水を昇温させる給湯熱交換器７と、浴槽１に接続され給湯熱交換器７で生じた湯を供給する給湯路８と、給水路５からの水を一部分岐して給湯路８に合流させるバイパス路９と、給湯路８とバイパス路９との合流位置より下流で給湯路８から分岐したシャワー給湯路１０とが設けられている。
【００１４】
給水路５には流水量を調節する給水量調節弁１１と、給水量を検出する給水量センサ１２とが設けられている。給湯バーナ６にはガスを供給する給湯ガス供給路１３と、イグナイタ１４を介して高電圧が加えられ点火を行う給湯点火プラグ１５と、燃焼用空気を送る給湯ファン１６と、燃焼状態を検出する給湯フレームロッド１７とが設けられている。給湯ガス供給路１３にはその開閉を行う給湯ガス電磁弁１８と、開度を調節する給湯ガス比例弁１９とが設けられている。給湯路８にはシャワー給湯路１０との分岐位置の湯水の温度を検出する給湯温度センサ２０と、給湯電磁弁２１と、上流側からの湯を一時的に貯めてから下流側に供給するホッパ２２と、給湯路の上流への湯水の逆流を防止する逆止弁２３と、流水量を検出する給湯量センサ２４とが設けられている。バイパス路９には開度を調節するバイパス電磁弁２５が設けられている。シャワー給湯路１０には流水量を検出する出湯量センサ（流水センサ）２６と、給湯栓２７と、湯をシャワー状にして供給するシャワーヘッド２８と、給湯路８の水抜きを行うための排水口２９とが設けられている。
【００１５】
追焚装置３には給湯路８から分岐して浴槽１に接続した追焚路３０が設けられている。追焚路３０には給湯路８からの分岐位置に三方弁３１が設けられている。また、追焚路３０には追焚時に浴槽１の湯を給湯路８の下流側から追焚路３０へと送り込むポンプ３２と、風呂バーナ３３により加熱される風呂熱交換器３４と、流水の有無を検出する風呂流水スイッチ３５と、湯の温度を検出する風呂温度センサ３６とが設けられている。風呂バーナ３３にはガスが供給される風呂ガス供給路３７と、イグナイタ１４を介して高電圧が加えられ点火を行う風呂点火プラグ３８と、燃焼用空気を送る風呂ファン３９と、燃焼状態を検出する風呂フレームロッド４０とが設けられている。風呂ガス供給路３７にはその開閉を行う風呂ガス電磁弁４１と、ガス供給量を調節する風呂ガス比例弁４２とが設けられている。風呂ガス供給路３７は前記給湯ガス供給路１３とともに１本のガス供給路４３から分岐しており、該ガス供給路４３にはその開閉を行うガス元電磁弁４４が設けられている。
【００１６】
コントローラ４はタイマ４５と、図示しない浴室内に設けられコントローラ４を操作する浴室リモコン（操作手段）４６とが設けられている。タイマ４５は保温制御開始からの時間を計測する。浴室リモコン４６には図示しない複数のスイッチが設けられており、これらのスイッチにより給湯装置２及び追焚装置３の作動制御が行われ、また、後述する所定給湯温度や所定風呂温度が設定される。
【００１７】
前記構成の追焚付給湯装置により行われる浴槽１への給湯（湯張り）について説明する。湯張りを開始すべく浴室リモコン４６が操作されると、給湯電磁弁２１が開かれて給水路５への給水が開始される。給水量センサ１２により所定量以上の流水が検出されると、ガス元電磁弁４４、給湯ガス比例弁１９及び給湯ガス電磁弁１８が開弁され、給湯バーナ６へガスの供給が開始される。給湯バーナ６は給湯点火プラグ１５により点火され、給湯ファン１６により燃焼用空気が送られて燃焼し、これにより加熱された給湯熱交換器７により給水路５からの水が昇温される。給湯熱交換器７で生じた湯は給湯路８及び追焚路３０を介して浴槽１に供給されて湯張りが行われる。
【００１８】
給湯量センサ２４により検出された給湯累積量が所定量となると給湯電磁弁２１が閉弁されて給湯路８が遮断される。また、ガス元電磁弁４４、給湯ガス比例弁１９及び給湯ガス電磁弁１８が閉弁されるとともに給湯ファン１６が停止され、給湯バーナ６の燃焼が停止されて湯張りが終了する。この湯張りにおいてコントローラ４は給湯温度センサ２０の検出温度を浴室リモコン４６により設定された所定給湯温度に一致するように給湯ガス比例弁１９により給湯バーナ６へのガス供給量を調節し、バイパス電磁弁２５によりバイパス路９の開度を調節する。なお、湯張り時のみならずシャワー給湯路１０から給湯が行われるときにもコントローラ４によってかかる調節が行われ、所定給湯温度の給湯が行われる。
【００１９】
次に、前記構成の追焚付給湯装置により行われる保温制御について図１及び図２を用いて説明する。保温制御を開始すべく浴室リモコン４６が操作されると（ＳＴＥＰ１）ポンプ３２が作動される（ＳＴＥＰ２）。風呂流水スイッチ３５が流水を検出し（ＳＴＥＰ３でＹＥＳ）、保温制御開始から４時間が経過すると（ＳＴＥＰ４でＹＥＳ）ポンプ３２が停止され保温制御が終了する（ＳＴＥＰ５）。なお、風呂流水スイッチ３５が流水を検出しないとき（ＳＴＥＰ３でＮＯ）もポンプ３２が停止され保温制御は終了する（ＳＴＥＰ５）。
【００２０】
保温制御開始から４時間経過前は（ＳＴＥＰ４でＮＯ）、３０分経過ごとに（ＳＴＥＰ６でＹＥＳ）ポンプ３２が作動される（ＳＴＥＰ７）。風呂流水スイッチ３５が流水を検出したとき（ＳＴＥＰ８でＹＥＳ）、風呂温度センサ３６により追焚路３０の湯の温度が検出される。風呂流水スイッチ３５が流水を検出しないときは（ＳＴＥＰ８でＮＯ）、ポンプ３２が停止されて保温制御が終了する（ＳＴＥＰ５）。風呂温度（風呂温度センサ３６の検出温度）が所定風呂温度以下であるとき（ＳＴＥＰ９でＹＥＳ）、追焚が行われる（ＳＴＥＰ１０）。追焚が実行されず、又は追焚が実行されて風呂温度が所定風呂温度より高温であるとき（ＳＴＥＰ９でＮＯ）にはポンプ３２が停止される（ＳＴＥＰ１４）。
【００２１】
保温制御中にポンプ３２が停止し、追焚が行われていない状態でも次のときにはポンプ３２が作動され、風呂温度が所定風呂温度以下であるときに追焚が行われる（ＳＴＥＰ７〜ＳＴＥＰ１０）。即ち、所定風呂温度を設定変更すべく浴室リモコン４６が操作されたとき、シャワー給湯路１０からの湯が使用されて出湯量センサ２６が所定量以上の流水を検出したとき又はシャワー給湯路１０からの給湯温度を変えるために所定給湯温度を設定変更すべく浴室リモコン４６が操作されたときである（ＳＴＥＰ１１〜ＳＴＥＰ１３のいずれかでＹＥＳ）。なお、これらの操作、検出がなかったとき（ＳＴＥＰ１１〜ＳＴＥＰ１３でＮＯ）にはポンプ３２が停止される（ＳＴＥＰ１４）。
【００２２】
以上のように、浴室内の使用者がシャワー給湯路１０から所定量以上の湯を使用したとき又は所定風呂温度若しくは所定給湯温度を設定変更すべく浴室リモコン４６を操作したときにも自動的に追焚が行われる。従って、入浴前にこれら３つの行為のいずれか１つが行われたときは、追焚を行うべく浴室リモコン４６が操作されなくても入浴に先立って追焚が自動的に行われるので使用者は心地良く入浴することができる。また、追焚の条件となる行為を３つ設定したので、浴室内の使用者による入浴前の行為により自動的に追焚が行われやすくなる。
【００２３】
出湯量センサ２６及び浴室リモコン４６として従来から備えられているものを利用し、前記３つの行為のいずれかが行われたときに追焚を行うプログラムをコントローラ４に追加すれば前記構成の追焚付給湯装置を実現することができる。従って、コストを節約しながらも使用者の入浴を察知して自動的に追焚を行うことができる追焚付給湯装置を製造することができる。
【００２４】
本実施形態では保温制御中は３０分ごとにポンプ３２を作動させ、風呂温度と所定風呂温度とを比較して追焚の要・不要を判断する構成とした。他の実施形態として、風呂温度が所定風呂温度を含む所定の温度領域内にあるか否かにより追焚を行う又は行わない構成にしてもよい。かかる構成によれば、前記温度領域の幅を大きくすることにより保温制御中の追焚回数を低減することができる。
【図面の簡単な説明】
【図１】本発明の追焚付給湯装置の説明的構成図
【図２】本発明の追焚付給湯装置による保温制御を示すフローチャート
【符号の説明】
１‥浴槽、２‥給湯装置、３‥追焚装置、４‥コントローラ（制御手段）、８‥給湯路、１０‥シャワー給湯路（給湯路）、２６‥出湯量センサ（流水センサ）、４６‥浴室リモコン（操作手段）
【図１】
0003667522.tif 000002
【図２】
0003667522.tif 000003